【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
情報処理装置に用いられるプログラムであって、
前記情報処理装置に、
作業を撮像した動画を表示し、
前記動画内に表示された対象物に対する評価値の入力を、前記作業に対して複数設定された分析観点の数に応じた分だけ受け付け、
前記評価値を示す作業表を前記分析観点と同じ数だけ生成し、
前記分析観点と同数の前記作業表を切り替えて表示する
処理を実行させることを特徴とするプログラム。
【請求項２】
複数の前記分析観点を、一の撮像装置で撮像された動画に設定する処理を実行させることを特徴とする請求項１に記載のプログラム。
【請求項３】
前記情報処理装置に、前記動画を作業毎に分割した分割動画を表示する処理を実行させることを特徴とする請求項１又は２に記載のプログラム。
【請求項４】
前記情報処理装置に、
前記分割動画内の対象物が前記作業に対して無効な動作をした時間を示す無効時間を、前記分割動画毎に受け付け、
複数の前記分割動画の無効時間を合計した無効合計時間と、複数の前記分割動画の動作時間を合計した動作合計時間とを算出し、
算出した前記無効合計時間及び前記動作合計時間に基づいてグラフを表示する
処理を実行させることを特徴とする請求項３に記載のプログラム。
【請求項５】
対象物が稼動動作を行う複数の分割動画の動作時間を合計した稼動合計時間を算出し、
対象物が準稼動動作を行う複数の分割動画の動作時間を合計した準稼動合計時間を算出し、
対象物が前記作業に対して無効な動作をした複数の分割動画の無効時間を合計した無効合計時間を算出し、
前記稼動合計時間、前記準稼動合計時間及び前記無効合計時間に基づいてグラフを表示する
処理を実行させることを特徴とする請求項３又は４に記載のプログラム。
【請求項６】
前記情報処理装置に、
前記分割動画内の対象物が前記作業に対して無効な動作をした時間を示す無効時間を、各々の前記分割動画に対応付け、
各々の前記分割動画の動作時間と、各々の前記分割動画に対応付けられた前記無効時間とに基づいてグラフを表示する
処理を実行させることを特徴とする請求項３乃至５のいずれか一項に記載のプログラム。
【請求項７】
前記情報処理装置に、
前記分割動画内の対象物が周期性のある動作をしているか否かを示す周期性情報の入力を受け付け、
受け付けた周期性情報を表示する
処理を実行させることを特徴とする請求項３乃至６のいずれか一項に記載のプログラム。
【請求項８】
前記情報処理装置に、
各々の前記分割動画毎に前記評価値の入力を受け付け、
各々の前記分割動画内に表示された対象物が作業に対して有効な動作をした時間を示す動作時間に前記評価値を積算することで前記分割動画毎の標準時間を算出し、
算出した前記分割動画毎の標準時間を表示する
処理を実行させることを特徴とする請求項３乃至７のいずれか一項に記載のプログラム。
【請求項９】
前記情報処理装置に、
各々の前記分割動画毎に動作要素の時間の長さを示す要素時間の入力を受け付け、
動作要素毎に要素時間と標準時間を表示する
処理を実行させることを特徴とする請求項３乃至８のいずれか一項に記載のプログラム。
【請求項１０】
前記情報処理装置に、
前記分割動画内の対象物の動作が人又は機械が行う動作であることを示す動作情報を前記分割動画毎に受け付け、
人が行う動作であることを示す前記動作情報に対応付けられた前記分割動画を抽出し、
抽出した前記分割動画の動作時間を合計した抽出合計時間と、前記動作合計時間から前記抽出合計時間を引いた稼働合計時間とを算出し、
算出した前記稼働合計時間、前記抽出合計時間及び前記無効合計時間に基づいてグラフを表示する
処理を実行させることを特徴とする請求項４に記載のプログラム。
【請求項１１】
前記情報処理装置に、
前記稼働合計時間、前記抽出合計時間及び前記無効合計時間を前記分析観点別に算出し、
前記稼働合計時間、前記抽出合計時間及び前記無効合計時間の各々の割合を示す前記分析観点別のグラフを同時に表示する
処理を実行させることを特徴とする請求項１０に記載のプログラム。
【請求項１２】
前記情報処理装置に、
表示させる前記作業表を切り替えるために設けられた切り替えタブを複数表示し、
複数の前記切り替えタブの中の一つが選択された際に、前記分析観点と同数の前記作業表のうち、選択された前記切り替えタブと対応する前記作業表を表示する
処理を実行させることを特徴とする請求項１に記載のプログラム。
【請求項１３】
前記情報処理装置に、
前記分析観点と同数の前記動画を切り替えて表示し、
それぞれの前記動画に対する種別を複数受け付け、
受け付けた複数の前記種別と前記評価値とを対応付けた前記作業表を、前記分析観点と同じ数だけ生成する
処理を実行させることを特徴とする請求項１又は２に記載のプログラム。
【請求項１４】
作業を撮像した動画を表示する動画表示部と、
前記動画内に表示された対象物に対する評価値の入力を、前記作業に対して複数設定された分析観点の数に応じた分だけ受け付ける受け付け部と、
前記評価値を示す作業表を前記分析観点と同じ数だけ生成する生成部と、
前記分析観点と同数の前記作業表を切り替えて表示する切替表示部と、を備えることを特徴とする情報処理装置。
【請求項１５】
情報処理装置によって実現される情報処理方法であって、
作業を撮像した動画を表示し、
前記動画内に表示された対象物に対する評価値の入力を、前記作業に対して複数設定された分析観点の数に応じた分だけ受け付け、
前記評価値を示す作業表を前記分析観点と同じ数だけ生成し、
前記分析観点と同数の前記作業表を切り替えて表示することを特徴とする情報処理方法。
【手続補正２】
【補正対象書類名】明細書
【補正対象項目名】０００７
【補正方法】変更
【補正の内容】
【０００７】
また、上記のプログラムに関して好適な構成を述べると、前記複数の分析観点は、一の撮像装置で撮像された動画に設定されていてもよい。
また、上記のプログラムに関して好適な構成を述べると、前記情報処理装置に、表示させる前記作業表を切り替えるために設けられた切り替えタブを複数表示し、複数の前記切り替えタブの中の一つが選択された際に、前記分析観点と同数の前記作業表のうち、選択された前記切り替えタブと対応する前記作業表を表示する処理を実行させてもよい。
また、上記のプログラムに関してより好適な構成を述べると、前記情報処理装置に、前記分析観点と同数の前記動画を切り替えて表示し、それぞれの前記動画に対する種別を複数受け付け、受け付けた複数の前記種別と前記評価値とを対応付けた前記作業表を、前記分析観点と同じ数だけ生成する処理を実行させてもよい。
また、上記のプログラムに関して更に好適な構成を述べると、前記情報処理装置に、各々の前記動画を作業毎に分割した分割動画を表示する処理を実行させてもよい。
また、上記のプログラムに関してより一層好適な構成を述べると、前記情報処理装置に、前記分割動画内の対象物が前記作業に対して無効な動作をした時間を示す無効時間を、前記分割動画毎に受け付け、複数の前記分割動画の無効時間を合計した無効合計時間と、複数の前記分割動画の動作時間を合計した動作合計時間とを算出し、算出した前記無効合計時間及び前記動作合計時間に基づいてグラフを表示する処理を実行させてもよい。
また、上記のプログラムに関して尚一層好適な構成を述べると、前記情報処理装置に、前記分割動画内の対象物の動作が人又は機械が行う動作であることを示す動作情報を前記分割動画毎に受け付け、人が行う動作であることを示す前記動作情報に対応付けられた前記分割動画を抽出し、抽出した前記分割動画の動作時間を合計した抽出合計時間と、前記動作合計時間から前記抽出合計時間を引いた稼動合計時間とを算出し、算出した前記稼動合計時間、前記抽出合計時間及び前記無効合計時間に基づいてグラフを表示する処理を実行させてもよい。
また、上記のプログラムに関して益々好適な構成を述べると、前記情報処理装置に、前記稼動合計時間、前記抽出合計時間及び前記無効合計時間を前記分析観点別に算出し、前記稼動合計時間、前記抽出合計時間及び前記無効合計時間の各々の割合を示す前記分析観点別のグラフを同時に表示する処理を実行させてもよい。
また、上記のプログラムに関して俄然好適な構成を述べると、前記情報処理装置に、前記分割動画内の対象物が前記作業に対して無効な動作をした時間を示す無効時間を、各々の前記分割動画に対応付け、各々の前記分割動画の動作時間と、各々の前記分割動画に対応付けられた前記無効時間とに基づいてグラフを表示する処理を実行させてもよい。
また、上記のプログラムに関して一段と好適な構成を述べると、前記情報処理装置に、前記分割動画内の対象物が周期性のある動作をしているか否かを示す周期性情報の入力を受け付け、受け付けた周期性情報を表示する処理を実行させてもよい。
また、上記のプログラムに関して殊更好適な構成を述べると、前記情報処理装置に、各々の前記分割動画毎に前記評価値の入力を受け付け、各々の前記分割動画内に表示された対象物が作業に対して有効な動作をした時間を示す動作時間に前記評価値を算出することで前記分割動画毎の標準時間を算出し、算出した前記分割動画毎の標準時間を表示する処理を実行させてもよい。